(57)【特許請求の範囲】
【請求項１】
光ファイバの接続部を内部に収納する分離一体可能な二つ割り構造のスリーブ（１１，１２）を備えた光ファイバケーブル用クロージャであって、
該スリーブは、互いに大きさが異なる収納空間を有して設けられ、且つ該スリーブの外周に巻回された締結具（１６）により締結され、
該スリーブの少なくとも一方の外周面には、複数通りの必要締結数に応じた複数通りの締結位置を表示するための複数通りの異なる表示部からなる表示部（１５）が設けられて、一対の前記スリーブが水密に締結されることを特徴とする光ファイバケーブル用クロージャ。
【請求項２】
請求項１記載の光ファイバケーブル用クロージャにおいて、
前記外周面には、該外周面に対して凸または凹の線条（１３）の区画部（１４）が複数設けられ、該区画部の間の前記外周面に前記表示部が設けられていることを特徴とする光ファイバケーブル用クロージャ。
【請求項３】
請求項２記載の光ファイバケーブル用クロージャにおいて、
前記凸の線条の区画部は、前記締結具の巻回に際してガイドをなすことを特徴とする光ファイバケーブル用クロージャ。
【請求項４】
請求項１から３のいずれかに記載の光ファイバケーブル用クロージャにおいて、
前記スリーブの一方には、同他方との接合面（２８）から突出して該スリーブの一方に対する前記他方の前記接合面に沿う方向の移動を防止する支持部（２９，３１）が設けられていることを特徴とする光ファイバケーブル用クロージャ。
【発明の詳細な説明】
【０００１】
【発明の属する技術分野】
本発明は、例えば、締結バンドにより二つ割り構造のスリーブを締結するのに好適な光ファイバケーブル用クロージャに関するものである。
【０００２】
【従来の技術】
一般に、光ファイバケーブルの接続部においては、中継用のクロージャが介装されており、このクロージャ内で光ファイバはケーブルから引き出され、余長部分を設けた状態で光ファイバ同士が接続されている。
図８に従来の光ファイバケーブル用クロージャの一例を示す。
この図において、符号１は光ファイバケーブル用クロージャ、２はスリーブ、３は光ファイバケーブルである。
【０００３】
クロージャ１は、三直線上に布設された計六本の光ファイバケーブル３の光接続部を収納するものである。
スリーブ２は、一体化時に細長円筒状を成す二つ割り構造のスリーブ本体４と、該スリーブ本体４の軸線方向両端部に取付けられる円盤状の端面板５とを有している。
スリーブ本体４および端面板５は、全体が合成樹脂等で形成され、一体化することで内部を防水するようになっている。
【０００４】
このスリーブ本体４の外周面には、該外周面に対して凹形状の溝９がスリーブ２の軸線回りに複数形成されている。そして、これらの溝９には、スリーブ本体４を閉じた状態で締結、固定するための複数の締結バンド８が巻回され、これら締結バンド８の端部間が締結金具８ａで閉じ合わされて、スリーブ本体４が水密的に閉じられるようになっている。
両端面板５には、光ファイバケーブル３の両端面板５に対応する位置に取付けられた封止部材６と嵌合して、水密的に封止される封止部材嵌合孔７が形成されている。
また、端面板５は、封止部材嵌合孔７を通る三つの部分に分割されており、一体化することにより封止部材嵌合孔７に封止部材６を挟み込むようになっている。
【０００５】
【発明が解決しようとする課題】
しかしながら、上述したような従来の光ファイバケーブル用クロージャには、以下のような問題が存在する。
光ファイバは水に弱いため、上記のようなクロージャ１においては十分な水密性が要求される。
ところが、クロージャ１の設置環境によっては、スリーブ２に掛かる内圧や外圧等によりスリーブ２が変形して、水密性が低下してしまうことがある。
特に、二つ割り構造のスリーブ本体４のうち一方が他方に対して、その深さが異なるような場合には、曲げ弾性による機械的強度が異なるため、上記の圧力が加わった際に変形の度合いが異なり、結果としてスリーブ本体４間が開き易くなる。
この場合、クロージャ１の周囲に水があれば、最悪クロージャ内が浸水してしまう恐れがあった。
【０００６】
そのため、スリーブ２に対しては、強固な締結が必要になり締結バンド８の数も増加していた。
これらの締結バンド８は、スリーブ本体４の外周面に形成された溝９に巻回されて締結されるが、溝９の全てに締結バンド８が必要ということではなく、クロージャ１の設置される環境に応じて締結バンド８の数を決定していた。
この際、締結バンド８を巻回すべき溝９の位置が不明瞭なため、巻回・締結の作業に手間が掛かっていた。
また、クロージャによっては、スリーブ２の外周面に溝９が形成されていないものもあり、この場合、締結バンド８の巻回・締結位置が一層わかりづらく作業時間増加の一因になっていた。
【０００７】
本発明は、以上のような点を考慮してなされたもので、締結バンドの巻回・締結位置の識別が容易であると共に、必要な締結バンドが削減可能な光ファイバケーブル用クロージャを提供することを目的とする。
【０００８】
【課題を解決するための手段】
上記の目的を達成するために本発明は、以下の構成を採用している。
請求項１記載の光ファイバケーブル用クロージャは、光ファイバの接続部を内部に収納する分離一体可能な二つ割り構造のスリーブ（１１，１２）を備えた光ファイバケーブル用クロージャであって、該スリーブは、互いに大きさが異なる収納空間を有して設けられ、且つ該スリーブの外周に巻回された締結具により締結され、該スリーブの少なくとも一方の外周面には、複数通りの必要締結数に応じた複数通りの締結位置を表示するための複数通りの異なる表示部からなる表示部（１５）が設けられて、一対の前記スリーブが水密に締結されることを特徴とする。
従って、本発明の光ファイバケーブル用クロージャによれば、スリーブの外周に締結バンドを巻回する際に、設置環境および締結具数に応じた締結位置が表示部により容易に識別でき、一対のスリーブを水密に締結することができる。
【０００９】
請求項２記載の光ファイバケーブル用クロージャは、請求項１記載の光ファイバケーブル用クロージャにおいて、前記外周面には、該外周面に対して凸または凹の線条の区画部が複数設けられ、該区画部の間の前記外周面に前記表示部が設けられていることを特徴とする。
従って、本発明の光ファイバケーブル用クロージャによれば、スリーブの外周に締結バンドを巻回する際に、巻回して締結する位置が区画部により容易に識別できる。
【００１０】
請求項３記載の光ファイバケーブル用クロージャは、請求項２記載の光ファイバケーブル用クロージャにおいて、前記凸の線条の区画部は、前記締結具の巻回に際してガイドをなすことを特徴とする。
また、請求項４記載の光ファイバケーブル用クロージャは、請求項１から３のいずれかに記載の光ファイバケーブル用クロージャにおいて、前記スリーブの一方には、同他方との接合面から突出して該一方に対する前記他方の前記接合面方向の移動を防止する支持部が設けられていることを特徴とする。
従って、本発明の光ファイバケーブル用クロージャによれば、スリーブの他方に圧力が加わった際に、同一方に設けられた支持部により一方に対する接合面方向の移動が防止できる。
【００１１】
【発明の実施の形態】
以下、本発明の光ファイバケーブル用クロージャの実施の形態を、図１ないし図７を参照して説明する。
これらの図において、従来例として示した図８と同一の構成要素には同一符号を付し、その説明を省略する。
図１において、符号１は、光ファイバケーブル用クロージャ、３は光ファイバケーブル、１１および１２はスリーブである。
【００１２】
スリーブ１１，１２は、光ファイバケーブル３から引き出された図示しない光ファイバの接続部を内部に収納するものであって、分離一体可能な二つ割り構造を成すものである。
これらのスリーブ１１，１２の外周面には、複数の凸の線条１３（リブ）から構成される区画部１４が設けられている。
また、一方のスリーブ１１の外周面の凸の線条１３間には、表示部１５が設けられている。
表示部１５は、外周面に対して凹に形成されたＡ，Ｂ等の記号によりスリーブ１１，１２を締結する締結具１６の巻回・締結位置を締結に必要な本数に応じて表示可能とされるものである。
【００１３】
締結具１６は、スリーブ１１，１２の外周面の凸の線条１３間に巻回され弾性材料で形成された締結バンド１７と、巻回された締結バンド１７を締結して固定する締結金具１８とから構成されている。
図２に示すように、締結金具１８は、締結バンド１７の一端にスリーブ１１，１２の長さ方向に向けて形成された支持孔１７ａに嵌着する支持軸２０と、支持軸２０に形成された挿通孔２０ａに挿通する雄ネジ部１９を有すると共に締結バンド１７の他端側に係合突部２３が形成されたＴ字ボルト２４と、Ｔ字ボルト２４の前記一端側に螺着するナット部材２２と、連結部材２５とから構成されるものである。
連結部材２５は、締結バンド１７の他端に連結されると共に前記一端側には間隙２６を隔てて係合部２７を有するものである。
係合部２７は、締結バンド１７の一端が他端に対して離間する際にＴ字ボルト２４の係合突部２３が係合するものである。
【００１４】
一方、図３に示すように、一方のスリーブ１１には、他方のスリーブ１２との接合面２８から突出すると共に、接合面２８より一方のスリーブ１１の内側に形成された支持部２９が設けられている。
支持部２９は、図７に示すように、一方のスリーブ１１が他方のスリーブ１２と接合されたときに、他方のスリーブ１２が一方のスリーブ１１に対して接合面２８に沿う方向に移動することを防止するものであって、図４に示すように、締結具１６が巻回される位置の間に両側壁３０に沿うように複数設けられている。
【００１５】
また、図５に示すように、他方のスリーブ１２は、一方のスリーブ１１に対してより大きな収納空間を有すると共に一方のスリーブ１１と同様に、他方のスリーブ１２には、一方のスリーブ１１との接合面２８から突出すると共に、接合面２８より他方のスリーブ１２の内側に形成された支持部３１が設けられている。支持部３１は、他方のスリーブ１２が一方のスリーブ１１と接合されたときに、一方のスリーブ１１が他方のスリーブ１２に対して接合面２８に沿う方向に移動することを防止するものであって、図６に示すように、締結具１６が巻回される位置の間に両側壁３２に沿うように複数設けられている。
【００１６】
上記の構成のクロージャ１の作用を以下に説明する。
まず、クロージャ１を二本の締結具１６が必要な環境に設置する場合の例を用いて説明する。
この場合、図１に示すように、表示部１５に同じ記号が二つ表示されているのは記号Ｂなので、この記号Ｂが表示されている位置に締結具１６を巻回してスリーブ１１，１２を締結する。
このとき、記号Ｂは、凸の線条１３間に設けられているため、締結具１６の巻回に際しては、線条１３をガイドにして作業が行える。
この記号Ｂは、二本の締結具１６を使用する際の適切な位置に表示されているため、この位置に締結具１６が巻回され締結されたスリーブ１１，１２は設置された環境に対しては十分な水密性を有している。
一方、クロージャ１を三本の締結具１６が必要な環境に設置する場合は、上記と同様に、表示部１５に同じ記号が三つ表示されている記号Ａの位置に締結具１６を巻回して締結する。
これにより、スリーブ１１，１２は、この環境に適合する締結力により締結される。
【００１７】
次に、締結具１６によるスリーブ１１，１２の締結方法について説明する。
一体的に組み合わされたスリーブ１１，１２の外周の所定の位置にて締結バンド１７を巻回する。
このとき、Ｔ字ボルト２４は、予めナット部材２２を逆回転させて締結バンド１７を巻回したときに係合突部２３が連結部材２５の係合部２７と重複するようにしておく。
そして、雄ねじ部１９を連結部材２５の間隙２６に挿入した後、バンド１７に対する巻回を解除するとバンド１７の弾性回復力により、その両端が離間する方向に移動する。
これにより、係合突部２３は、係合部２７に係合する。
【００１８】
この状態でナット部材２２を正回転に回動することにより、係合突部２３は、係合部２７に係合したままバンド１７の一端側へ移動する。
係合部２７が形成された連結部材２５は、締結バンド１７の他端に連結されているので、係合突部２３のバンド１７の一端側への移動により、スリーブ１１，１２は締結される。
【００１９】
また、この締結されたスリーブ１１，１２は、その断面形状が異なり、そのためより大きな収納空間を有する他方のスリーブ１２は、圧力に対する変形が一方のスリーブ１１よりも大きく、結果としてスリーブ１１，１２間の水密性が低下する可能性があるが、これらのスリーブ１１，１２は、それぞれの支持部２９，３１が接合する相手に対して接合面２８に沿う方向に移動することを防止しているため、圧力が加わっても移動することなく、即ち、変形による水密性の低下を防止することができる。
【００２０】
本実施の形態の光ファイバケーブル用クロージャによれば、表示部１５に締結具１６を締結する位置が記号により表示されていることに加えて、凸の線条１３が設けられているため、容易に締結位置が識別可能である。
また、スリーブ１１，１２に支持部２９，３１が設けられているため、圧力に対する水密性の低下を防ぐことができると共に、圧力に対する強度が向上しているので締結具１６の削減が可能である。
そして、表示部１５の記号が外周面に対して凹に形成されているため、締結具１６の巻回・締結に際しても、支障なく作業が行える。
一方、締結作業においても、締結金具１８によりワンタッチで締結バンド１７の着脱が可能なので、組立および解体作業が容易に行える。
【００２１】
なお、上記実施の形態において、区画部は凸の線条から成る構成としたが、これに限られることなく、例えば、凹の線条やシボ等で表面状態が異なることが視認できる構成であってもよい。
また、表示部に表示される記号を一方のスリーブのみに設けられる構成としたが、他方のスリーブのみ、または両方のスリーブに設けられる構成であってもよい。
【００２２】
【発明の効果】
以上説明したように、請求項１に係る光ファイバケーブル用クロージャによれば、スリーブは、互いに大きさが異なる収納空間を有して設けられ、且つその外周に巻回された締結具により締結されており、スリーブの少なくとも一方の外周面には、複数通りの必要締結数に応じた複数通りの締結位置を表示するための複数通りの異なる表示部からなる表示部が設けられて、一対のスリーブが水密に締結される構成となっている。
これにより、スリーブを締結具により巻回・締結する際に、設置環境および締結具数に応じた締結位置が容易に識別可能になり、結果として作業効率が向上するとともに、水密性の低下を防止できるという優れた効果を奏するものである。
【００２３】
請求項２に係る光ファイバケーブル用クロージャによれば、スリーブの外周面に、外周面に対して凸または凹の線条の区画部が複数設けられ、区画部の間の前記外周面に表示部が設けられる構成となっている。
これにより、締結具による巻回・締結の際の作業が一層効率的に行えるという優れた効果を奏する。
【００２４】
請求項３に係る光ファイバケーブル用クロージャによれば、凸の線条の区画部が締結具の巻回に際してガイドをなす構成となっている。
また、請求項４に係る光ファイバケーブル用クロージャによれば、スリーブの一方に、同他方との接合面から突出する支持部が設けられており、この支持部はスリーブの一方に対する同他方の接合面に沿う方向の移動を防止する構成となっている。
これにより、スリーブの圧力に対する強度が向上して水密性の低下を防止するという効果が得られる。また、支持部による水密性の低下防止の結果として、締結に用いる締結具が削減できるという優れた効果を奏するものである。
【図面の簡単な説明】
【図１】  本発明の実施の形態を示す図であって、締結具によりスリーブが締結されている外観斜視図である。
【図２】  本発明のクロージャを構成する締結具の外観斜視図である。
【図３】  本発明のクロージャを構成するスリーブの一方の断面図である。
【図４】  スリーブの一方の平面図である。
【図５】  本発明のクロージャを構成するスリーブの他方の断面図である。
【図６】  スリーブの他方の平面図である。
【図７】  本発明の実施の形態を示す図であって、スリーブが支持部により支持される断面図である。
【図８】  従来の光ファイバケーブル用クロージャの一例を示す外観斜視図である。
【符号の説明】
１…クロージャ、３…光ファイバケーブル、１１，１２…スリーブ、１３…凸の線条（リブ）、１４…区画部、１５…表示部、１６…締結具、２８…接合面、２９，３１…支持部。
【図１】
0003856890.tif 000002
【図２】
0003856890.tif 000003
【図３】
0003856890.tif 000004
【図４】
0003856890.tif 000005
【図５】
0003856890.tif 000006
【図６】
0003856890.tif 000007
【図７】
0003856890.tif 000008
【図８】
0003856890.tif 000009